【事件の表示】
　平成　４年特許願第２８０４４６号「ディスク再生装置」拒絶査定に対する審判事件［平成　６年　４月２２日出願公開、特開平　６−１１１５４５］について、次のとおり審決する。
【結　論】
　本件審判の請求は、成り立たない。
【理　由】
　
１．手続の経緯・本願発明
　本願は、平成４年９月25日の特許出願であって、その請求項１乃至２に係る発明は、平成14年２月１日付け、及び、平成14年４月30日付けの手続補正書により補正された明細書の特許請求の範囲の請求項１乃至２に記載された「ディスク再生装置」であるところ、その請求項１に係る発明（以下、「本願発明」という。）は、次のとおりのものである。
　
「【請求項１】
　ソース切換機能を有する再生機器におけるディスク再生装置であって、
　ディスク上に記録されたデータを再生する再生ヘッドと、
　前記ディスク上の再生ヘッドの再生位置を検出する再生位置検出手段と、
　前記ディスク上の再生ヘッドの再生位置を制御する再生位置制御手段と、
　前記ディスクの通常の再生が行なわれている状態からソース切換に伴ない再生が中断される直前に前記再生位置検出手段で検出されていた再生位置の情報または該情報に基づく情報を記憶し、当該中断状態が解除されるまで保持するメモリ手段と、
　前記メモリ手段に記憶された情報に基づき前記中断位置よりも手前の位置を目標位置として指示する目標位置指示手段と、
　前記再生位置検出手段で検出される再生位置と前記目標位置とを比較する位置比較手段と、
　前記中断状態が解除された時に、前記位置比較手段の比較結果に基づき前記再生位置制御手段を制御して、前記再生ヘッドの再生位置を前記目標位置に制御して、再生を再開させるサーチ制御手段と
　を具備してなるディスク再生装置。」
　
２．引用例記載の発明
　これに対し、原査定の拒絶の理由で引用された特開昭63-268179号公報（以下、「引用例」という。）はディスク再生装置に関するもので、図面とともに次の技術事項が記載されている。
(i)「技術分野
　本発明は、ディスク再生装置における最終画面再生方式に関し、特にビデオディスクの記録情報を再生する装置における最終画面再生方式に関する。
　背景技術
　ビデオディスクの片面の演奏時間は最大１時間であり、ビデオディスクの演奏中にユーザがこのビデオディスクから得られた映画等の鑑賞を中断せざるを得なくなる場合が少なくない。かかる場合において、後に続きを鑑賞したい場合にはディスク再生装置の早送り（スキャン）動作すなわちプレイ動作とトラックジャンプ動作とを交互に行なう動作によって最後に見た画面を探し出すことが考えられるが、そうすると繁雑な操作が必要になると共に最後に見た画面が探し出せたとき直ちに再生を開始すると最後に見た画面に至るまでのストーリーを十分思い出すことができずストーリーの連続性が損なわれるという問題が生じるのである。」（第１頁右下欄第19行〜第２頁左上欄第18行）
(ii)「発明の概要
　そこで、本発明の目的は簡単な操作によってストーリーの連続性を損なうことなく中断時の画面以降の再生を行うことができるディスク再生装置における最終画面再生方式を提供することである。
　本発明によるディスク再生装置における最終画面再生方式は、記憶指令に応答して再生中の情報の記録されている第１記録位置に応じたアドレスデータを記憶し、最終画面再生指令に応答して記憶されているアドレスデータによって第１記録位置より記録順序において遡った第２記録位置から記録情報を再生することを特徴としている。」（第２頁左下欄第19行〜同頁右上欄第11行）
(iii)「実施例
　以下、本発明の実施例につき図面を参照して詳細に説明する。
　第１図において、スピンドルモータ１によって回転駆動されるディスク２の記録情報が光学式ピックアップ３により読取られる。・・・ピックアップ３の出力は、RFアンプ４に供給されると同時にフォーカスサーボ回路（図示せず）及びトラッキングサーボ回路（図示せず）に供給される。これらフォーカスサーボ回路及びトラッキングサーボ回路によってピックアップ３内のフォーカスアクチュエータ及びトラッキングアクチュエータが駆動され、ピックアップ３内のレーザダイオードから発せられたレーザ光が・・・ディスク２の半径方向における光スポットの位置制御がなされる。
　また、ピックアップ３内のトラッキングアクチュエータを駆動するためのコイルに供給されたコイル電流は、電流検出回路５に供給される。この電流検出回路５からコイル電流に応じた電流検出信号が出力されてスライダサーボ回路６に供給される。スライダサーボ回路６においては電流検出信号の増幅及び位相補償がなされる。このスライダサーボ回路６の出力は、モータ駆動回路７を経てスライダモータ８の駆動信号となる。このスライダーモータ８によって、ピックアップ３を搭載しかつディスク半径方向に移動自在なスライダ９が駆動され、ピックアップ３内のトラッキングアクチュエータが可動範囲の中間点に位置するように制御される。」（第２頁右上欄第12〜同頁右下欄第７行）
(iv)「プレイ動作を制御するサブルーチン等の実行によってプレイ動作が行われているときにユーザによるキー操作がなされると、プロセッサはS30に移行して記憶指令キーが操作されて記憶指令が発せられたか否かを判定する。ステップS30において記憶指令が発せられていないと判定されたときは、プロセッサはステップS30に移行する直前に実行していたルーチンの実行を再開する。ステップS30において記憶指令が発せられていると判定されたときは、プロセッサはステップS31に移行して現在演奏中のディスクの物理的属性を示すデータをラストメモリのエリヤ内の前回値メモリと称する番地に転送する。次いで、プロセッサはS32に移行して再生中の情報が記録されているアドレスを示すアドレスデータから所定時間Ｔ１に対応する値を差引く。次いで、プロセッサはステップＳ33に移行してステップS32において得られたデータｘが０より小であるか否かを判定する。
　ステップS33においてデータｘが０より小であると判定されたときは、プロセッサはステップS34に移行してディスク２の先頭アドレスを示すアドレスデータをラストメモリのエリヤ内の所定番地に転送する。ステップS33においてデータｘが０より小でないと判定されたときは、プロセッサはステップＳ35に移行してデータｘをラストメモリのエリヤ内の所定番地に転送する。
　次いで、プロセッサはステップS36に移行してシステムコントローラ40内のRAMの所定番地に所定のビットパターンを有するデータを書込んで、ステップS30に移行する直前に実行していたルーチンの実行を再開する。」（第６頁左上欄第３行〜同頁右上欄第14行）
(v)「以上の動作におけるステップS30乃至S36によって、映画等の鑑賞を中断する必要が生じた場合に記憶指令キーを操作すれば、中断時の画面が記録されている第１記録位置より所定時間Ｔ１に対応する距離だけ記録順序において遡った第２記録位置を示すアドレスデータがラストメモリに書込まれる。こののち、電源をオフにしてもシステムコントローラ40にはバックアップ回路49によって電源が供給されるので、ラストメモリに書込まれたデータはそのまま記憶保持される。
　ユーザが鑑賞を中断した映画等の続きを鑑賞するために電源をオンにするとステップS1乃至S4によってシステムコントローラ40内のRAMの記憶内容に異常がないかどうかが判定される。
　　・・・（中略）・・・
　次に、ユーザがラストメモリキーを操作すると、ステップS5乃至S21によってディスクが自動的に装着され、装着されたディスクの物理的属性が演奏が中断されたディスクの物理的属性と一致すれば中断時の画面が記録されている第１記録位置から所定時間Ｔ１に対応する距離だけ記録順序において遡った第２記録位置がサーチされてこの第２記録位置からプレイ動作が開始される。従って、所定時間Ｔ１をユーザがストーリーを思い出すのに必要な時間となるようにすればストーリーの連続性を損なうことなく中断時の画面以降の再生が行われることになる。」（第６頁右上欄第15行〜同頁右下欄第４行）
　
　また、上記記載事項（iv）、（v）において、プレイ動作の際、ディスク２上の画面が記録されている記録位置を検出すること、つまりディスク２上の光ピックアップ３の再生位置を検出することは当然になされるものであり、そのための再生位置検出手段は当然に備えているものである。
　
　上記記載事項及び図面の記載を総合勘案して整理すると、引用例には、結局次の発明が記載されているものと認める。
　
　ディスク２上に記録されたデータを再生する光学式ピックアップ３と、
　前記ディスク２上の光学式ピックアップ３の再生位置を検出する再生位置検出手段と、
　前記ディスク２上の光学式ピックアップ３の再生位置を制御するフォーカスサーボ回路（図示無し）、トラッキングサーボ回路（図示無し）、スライダーサーボ回路６と、
　前記ディスク２のプレイ動作が行われている状態から映画等の鑑賞を中断する必要が生じた場合、ユーザが記憶指令キーを操作すると中断時の画面が記録されている第１記録位置より所定時間Ｔ１に対応する距離だけ記録順序において遡った第２記録位置を示すアドレスデータが書き込まれ、電源をオフにしてもこのデータがそのまま保持される（システムコントローラ40内のRAMの）ラストメモリと、
　ユーザが鑑賞を中断した映画等の続きを鑑賞するために電源をオンし、ラストメモリキーを操作すると、前記フォーカスサーボ回路（図示無し）、トラッキングサーボ回路（図示無し）を制御して前記第２記録位置をサーチし第２記録位置からプレイ動作を開始させるシステムコントローラ40
　を具備するディスク再生装置。
　
　３．対　比
　本願発明と引用例に記載された発明とを対比する。引用例に記載された発明における「光学式ピックアップ３」は、本願発明における「再生ヘッド」に相当する。引用例に記載された発明における「フォーカスサーボ回路（図示無し）、トラッキングサーボ回路（図示無し）、スライダーサーボ回路６」は、本願発明における「再生位置制御手段」に相当する。引用例に記載された発明における「プレイ動作」とは、ディスクの通常の再生状態のことである。引用例に記載された発明における「第１記録位置」は、再生中断時すなわち再生が中断される直前の画面が記録されているディスク上の記録位置のことであり、言い換えると、再生が中断される直前の光学式ピックアップ３（再生ヘッド）の再生位置のことであるから、本願発明における「再生が中断される直前に前記再生位置検出手段で検出されていた再生位置」に相当する。引用例に記載された発明における「第２記録位置」は、中断時の画面が記録されている第１記録位置（再生が中断される直前に前記再生位置検出手段で検出されていた再生位置）より所定時間Ｔ１に対応する距離だけ記録順序において遡った記録位置、すなわち再生を再開する記録位置のことであるから、本願発明における「（再生位置の）該情報に基づく情報」に相当する（なお、この点に関し、請求人も、審判請求の理由中で「再生を再開する位置のアドレス」が「再生が中断される直前に前記再生位置検出手段で検出されていた再生位置の情報に基づく情報」である旨主張するところである。）。上記「第２記録位置」はまた、本願発明における「中断位置より手前の位置」「目標位置」に相当していることも明らかである。引用例に記載された発明における「ラストメモリ」は、第２記録位置（再生位置の情報に基づく情報、中断位置より手前の位置、目標位置）を示すアドレスデータが書き込まれ保持されるものであり、中断状態が解除されるまで再生を再開する位置に関する情報を保持するという限りにおいて本願発明における「メモリ手段」と共通する。引用例に記載された発明において「ユーザが鑑賞を中断した映画等の続きを鑑賞するために電源をオンし、ラストメモリキーを操作する」ことは、本願発明における「中断状態が解除された時」に相当する。引用例に記載された発明における「前記第２記録位置（目標位置）をサーチし第２記録位置（目標位置）からプレイ動作（再生動作）が開始させる」ことは、本願発明における「前記再生ヘッドの再生位置を前記目標位置に制御して、再生を再開させる」ことであることは明らかであり、この動作を制御する引用例に記載された発明の「システムコントローラ40」は、本願発明におけ「サーチ制御手段」に相当するものである。そうすると、本願発明と引用例に記載された発明とは、次の点で一致する。
 一致点
　ディスク再生装置であって、
　ディスク上に記録されたデータを再生する再生ヘッドと、
　前記ディスク上の再生ヘッドの再生位置を検出する再生位置検出手段と、
　前記ディスク上の再生ヘッドの再生位置を制御する再生位置制御手段と、
　前記ディスクの通常の再生が行なわれている状態から再生が中断される直前に前記再生位置検出手段で検出されていた再生位置の情報に基づく情報を記憶し、当該中断状態が解除されるまで保持するメモリ手段と、
　前記メモリ手段に記憶された情報に基づき前記中断位置よりも手前の位置を目標位置とし、
　前記中断状態が解除された時に、前記再生位置制御手段を制御して、前記再生ヘッドの再生位置を前記目標位置に制御して、再生を再開させるサーチ制御手段と
　を具備してなるディスク再生装置。
そして、次の点で相違する。
 相違点
(a) 対象とするディスク再生装置に関し、本願発明においては「ソース切換機能を有する再生機器における」ものであるのに対し、引用例に記載された発明においてはこのことが言及されていない点（以下、「相違点ａ」という。）。
(b) 再生中断状態とする条件に関し、本願発明においては、「ソース切換に伴い」再生中断状態とするものであるのに対し、引用例に記載された発明においては、
「映画等の鑑賞を中断する必要が生じた場合、ユーザが記憶指令キーを操作する」と再生中断状態とするものである点（以下、「相違点ｂ」という。）。
(c) 再生中断処理を行う手段に関し、本願発明においては、目標位置を指示する「目標位置指示手段」、再生位置と目標位置とを比較する「位置比較手段」を備えるものであるのに対し、引用例に記載された発明においては、このような手段について特に言及されていない点（以下、「相違点ｃ」という。）。
　
４．当審の判断
　そこで、上記各相違点について検討する。
　相違点ａについて：
　ソース切換（CD再生からカセットテープ再生等）機能を有するディスク再生機器自体はCDラジカセ等として本願出願前に周知・慣用のものである（必要があれば、実願平2-94635号（実開平4-54048号）のマイクロフィルムを参照。）から、引用例に記載された発明においても、ディスク再生装置として上記周知のソース切換機能を有するディスク再生機器におけるものとすることは、当業者が必要に応じて適宜なし得た事項である。
　相違点ｂについて：
　ディスク再生装置において、オーディオCDとCD-ROM、ディスク同士のような、或る一方の記録担体（一方のソース）の再生動作から他方の記録担体（他方のソース）の再生動作に切り換える際、一方の記録担体の再生が中断されたアドレスを検知、記憶しておき、再度一方の記録担体の再生が開始されたときその中断位置より再生するようにすることは本願出願前に周知の技術である（必要があれば、特開昭63-187488号公報、特開平1-194182号公報、特開昭60-52988号公報を参照。）から、引用例に記載された発明において、ディスク再生装置として上記周知のソース切換機能を有するディスク再生機器におけるものとした場合、ソースを切り換えれば再生中断すること自体は明らかであることを考慮して、「ユーザが記憶指令キーを操作する」ことにより再生中断処理することに替えて、上記周知技術のように単に「ソースを切換え」ることを条件として再生中断処理するようにすることは、当業者が容易に想到できたものである。
　相違点ｃについて：
　引用例に記載された発明は、ラストメモリ（メモリ手段）に保持された第２記録位置（目標位置）をサーチし該第２記録位置（目標位置）からプレイ動作（再生動作）が開始されるものであり、このような機能・動作を実行するためには、装置として第２記録位置（目標位置）を指示する手段、再生位置とこの目標位置を比較する比較手段が必要なことは技術上当然のことに過ぎない。
　
　そして、本願発明の奏する効果も、引用例及び上記周知技術から当業者が十分に予測できた範囲のものであり、格別のものとはいえない。
　
５．むすび
　以上のとおりであって、本願の請求項１に係る発明は、引用例に記載された発明及び上記周知技術に基づいて当業者が容易に発明をすることができたものであるから、特許法第29条第２項の規定により特許を受けることができない。
　したがって、本願は、他の請求項について論及するまでもなく、拒絶すべきものである。
　
　よって、結論のとおり審決する。